(57)【要約】【課題】  地震等の揺れに対して電算機の揺動・転倒を防止するために、電算機用のラック設置用の架台を必要とせず、かつ、ラックの大きさ・形状に関係なく容易に施工することができる床面固定構造体を提供することを目的とする。【解決手段】  コンクリート床面Ｓに立設されてフロアパネル20を支持する支持脚５の中間高さ部位５ａに取付取外自在に固着される連結固定手段６と、連結固定手段６によって両端を固定保持され水平状に配設される第１ストリンガ１と、を備える。さらに、相互に平行状に配設された隣り合う第１ストリンガ１，１の間に懸架されて両端をスライド固定自在に固着される第２ストリンガ２と、下部３ａを固定保持手段４をもって第２ストリンガ２にスライド固定自在に保持されると共に上部３ｂを電算機用ラック７に固着される縦ねじ杆３と、を備える。【選択図】  図８
2005042411.tif 000002
【特許請求の範囲】
【請求項１】
コンクリート床面（Ｓ）に立設されてフロアパネル（20）を支持する支持脚（５）の中間高さ部位（５ａ）に取付取外自在に固着される連結固定手段（６）と、
該連結固定手段（６）によって両端を固定保持され水平状に配設される第１ストリンガ（１）と、
相互に平行状に配設された隣り合う上記第１ストリンガ（１)(１）の間に懸架されて両端をスライド固定自在に固着される第２ストリンガ（２）と、
下部（３ａ）を固定保持手段（４）をもって上記第２ストリンガ（２）にスライド固定自在に保持されると共に上部（３ｂ）を電算機用ラック（７）に固着される縦ねじ杆（３）と、を備えたことを特徴とする電算機の床面固定構造体。
【請求項２】
上記第１ストリンガ（１）は、上壁（11）中央にスライド溝（11ａ）が開口されたＣ型鋼から成り、
上記連結固定手段（６）は、上記支持脚（５）の中間高さ部位（５ａ）が挿嵌される固定孔部（16）を有し上記第１ストリンガ（１）の端部（１Ａ）の上壁（11）に上方から当接する連結ブラケット部材（８）と、上記第１ストリンガ（１）の内部に配設されるナット部材（15）と、上記スライド溝（11ａ）を通して上記連結ブラケット部材（８）と上記ナット部材（15）を締め付けるボルト（14）と、を備え、
上記第１ストリンガ（１）の上壁（11）を、上記連結ブラケット部材（８）と、上記ナット部材（15）とで挟着するように構成され、
さらに、上記連結ブラケット部材（８）は、上記第１ストリンガ（１）の長手方向の合わせ面（９)(９）にて合体自在な一対の分割体（８Ａ)(８Ｂ）から成り、かつ、上記一対の分割体（８Ａ)(８Ｂ）は、上記合わせ面（９)(９）に、合体時に上記孔部（16）を形成する円弧状凹溝（16Ａ)(16Ｂ）が形成された請求項１記載の電算機の床面固定構造体。
【請求項３】
上記第２ストリンガ（２）は、上壁（12）中央にスライド溝（12ａ）が開口されたＣ型鋼から成り、
上記固定保持手段（４）は、上記縦ねじ杆（３）の下部（３ａ）が挿入される縦ねじ杆用孔部（17ａ）が形成され上記第２ストリンガ（２）の上壁（12）に上方から当接する座金体（17）と、上記第２ストリンガ（２）の内部に配設されると共に上記縦ねじ杆（３）が螺合する雌ねじ孔（35ａ）を有するナット部材（35）と、を備え、
上記第２ストリンガ（２）の上壁（12）を、上記座金体（17）と、上記ナット部材（35）とで、スライド固定自在に挟着するように構成された請求項１又は２記載の電算機の床面固定構造体。
【請求項４】
上記第２ストリンガ（２）の両端の下壁（22）は、第２ストリンガ（２）を第１ストリンガ（１）にスライド固定自在に取り付けるための固定用突片部（18)(18）が、長手方向に付設され、
該突片部（18)(18）は、スライド固定用ボルト（44）に挿入される孔部（28）が形成されると共に上記第１ストリンガ（１）の上壁（11）に上方から当接し、
上記第１ストリンガ（１）の内部には、上記ボルト（44）が上記突片部（18）の孔部（28）及び第１ストリンガ（１）のスライド溝（11ａ）を介して螺合するナット部材（45）が配設され、
上記第１ストリンガ（１）の上壁（11）を、上記突片部（18）と、上記ボルト（44）と、上記ナット部材（45）とで、スライド固定自在に挟着するように構成された請求項１，２又は３記載の電算機の床面固定構造体。
【請求項５】
上記第２ストリンガ（２）の両端の突片部（18)(18）は、一端側に付設される第１突片部（18Ａ）と、他端側に付設され該第１突片部（18Ａ）と異なる高さに形成された第２突片部（18Ｂ）と、から成り、
連結される第２ストリンガ（２)(２）が相互に同一高さ及び水平状に配設可能となるように、上記第１突片部（18Ａ）と第２突片部（18Ｂ）とが上下に積層される請求項４記載の電算機の床面固定構造体。
【発明の詳細な説明】
【技術分野】
【０００１】
本発明は、電算機の床面固定構造体に関するものである。
【背景技術】
【０００２】
従来の電算機の床面固定構造体は、コンクリート床面上に立設された複数本の支持脚上に、複数枚のフロアパネル本体を敷設し、コンクリート床面とフロアパネル本体の間の空間部に電気配線等を配設するものが知られている（例えば、特許文献１）。
【特許文献１】特開平５−３２１４４５号公報
【発明の開示】
【発明が解決しようとする課題】
【０００３】
この従来の電算機の床面固定構造体は、地震等の揺れに対して電算機を揺動・転倒防止するために、電算機の（ラックの）形状・大きさに対応した（鋼製）架台を用意し、コンクリート床面上に設置する必要がある。
また、既設の電算室等に新たに電算機を設置したり、レイアウトを変更する場合、フロアパネル及び支持脚を撤去・移設し、架台を設置する必要があり、多くのコスト・手間が掛かってしまう。
【０００４】
そこで、本発明は、地震等の揺れに対して電算機の揺動・転倒を防止するために、電算機用のラック設置用の架台を必要とせず、かつ、ラックの大きさ・形状に関係なく容易に施工することができる床面固定構造体を提供することを目的とする。
【課題を解決するための手段】
【０００５】
上記の目的を達成するために、本発明に係る電算機の床面固定構造体は、コンクリート床面に立設されてフロアパネルを支持する支持脚の中間高さ部位に取付取外自在に固着される連結固定手段と；該連結固定手段によって両端を固定保持され水平状に配設される第１ストリンガと；相互に平行状に配設された隣り合う上記第１ストリンガの間に懸架されて両端をスライド固定自在に固着される第２ストリンガと；下部を固定保持手段をもって上記第２ストリンガにスライド固定自在に保持されると共に上部を電算機用ラックに固着される縦ねじ杆と、を備えている。
【０００６】
また、上記第１ストリンガは、上壁中央にスライド溝が開口されたＣ型鋼から成り；上記連結固定手段は、上記支持脚の中間高さ部位が挿嵌される固定孔部を有し上記第１ストリンガの端部の上壁に上方から当接する連結ブラケット部材と、上記第１ストリンガの内部に配設されるナット部材と、上記スライド溝を通して上記連結ブラケット部材と上記ナット部材を締め付けるボルトと、を備え；上記第１ストリンガの上壁を、上記連結ブラケット部材と、上記ナット部材とで挟着するように構成され；さらに、上記連結ブラケット部材は、上記第１ストリンガの長手方向の合わせ面にて合体自在な一対の分割体から成り、かつ、上記一対の分割体は、上記合わせ面に、合体時に上記孔部を形成する円弧状凹溝が形成されている。
【０００７】
そして、上記第２ストリンガは、上壁中央にスライド溝が開口されたＣ型鋼から成り；上記固定保持手段は、上記縦ねじ杆の下部が挿入される縦ねじ杆用孔部が形成され上記第２ストリンガの上壁に上方から当接する座金体と、上記第２ストリンガの内部に配設されると共に上記縦ねじ杆が螺合する雌ねじ孔を有するナット部材と、を備え；上記第２ストリンガの上壁を、上記座金体と、上記ナット部材とで、スライド固定自在に挟着するように構成されている。
【０００８】
また、上記第２ストリンガの両端の下壁は、第２ストリンガを第１ストリンガにスライド固定自在に取り付けるための固定用突片部が、長手方向に付設され；該突片部は、スライド固定用ボルトに挿入される孔部が形成されると共に上記第１ストリンガの上壁に上方から当接し；上記第１ストリンガの内部には、上記ボルトが上記突片部の孔部及び第１ストリンガのスライド溝を介して螺合するナット部材が配設され；上記第１ストリンガの上壁を、上記突片部と、上記ボルトと、上記ナット部材とで、スライド固定自在に挟着するように構成されている。
【０００９】
さらに、上記第２ストリンガの両端の突片部は、一端側に付設される第１突片部と、他端側に付設され該第１突片部と異なる高さに形成された第２突片部と、から成り；連結される第２ストリンガが相互に同一高さ及び水平状に配設可能となるように、上記第１突片部と第２突片部とが上下に積層される。
【発明の効果】
【００１０】
本発明は、次のような著大な効果を奏する。
【００１１】
フロアパネル20上に設置する電算機用ラック７の下部が、縦ねじ杆３…により、フロアパネル20から離脱しないように固定されるので、ラック７の大きさ・形状に対応する鋼製架台を設置しなくても、地震等の揺れに対して、電算機10の揺動・転倒を防止することができる。
さらに、ラック７を固定するための縦ねじ杆３…は、第２ストリンガ２と共にスライド固定するだけで所望の位置に配設できるので、容易かつ短時間で、ラック７の大きさ・形状に合わせて配設し施工することができ、工事を簡略化できる。
さらに、平面視に於て格子位置に支持脚５は配設されているにも係わらず、固定用の縦ねじ杆３…を、上記ラック７の形状に対応して所望の位置に配設することができる。従って、ラック７の寸法が種々変化しても容易に対応できる。
【００１２】
また、既設の電算室等のフリーアクセスフロアに電算機を新たに設置したり、レイアウトを変更することもでき、従来のように、鋼製架台に合わせてフロアパネルや支持脚を加工・撤去する必要がなく、手間・コストを抑えることができる。
さらに、連結ブラケット部材８を支持脚５から容易に取り外すこともできるので、電算機の機種や配置のレイアウトを変更する場合でも、容易に対応できる。
【発明を実施するための最良の形態】
【００１３】
図１，図２，図３及び図８，図９に示したように、コンクリート床面Ｓ上に、フロアパネル20を支持する支持脚５が、所定間隔を置いて平面視格子状に複数立設されており、夫々の支持脚５…の中間高さ部位５ａに、連結固定手段６…が取付取外自在に固着される。  そして、第１ストリンガ（横桁）１は、連結固定手段６によって両端を固定保持され水平状に配設される。そして、複数本の第１ストリンガ（横桁）１…が長手方向に連結され、かつ、その複数列が、相互に平行状に配設される。
【００１４】
そして、第２ストリンガ（横桁）２は、隣り合う第１ストリンガ１，１の間に懸架されて両端をスライド固定自在に固着される。
また、縦ねじ杆３が、その下部３ａを、第２ストリンガ２に取り付けられる固定保持手段４によって、第２ストリンガ２にスライド固定自在に保持されており、上部３ｂは、下方から電算機10のラック７に固着される。
【００１５】
具体的には、図２，図３，図４，図５に示したように、第１ストリンガ１は、上壁11中央に、長手方向のスライド溝11ａが開口されたＣ型鋼から成る。
また、連結固定手段６は、支持脚５の中間高さ部位５ａが挿嵌される固定孔部16を有し第１ストリンガ１の端部１Ａの上壁11に上方から当接する連結ブラケット部材８と、第１ストリンガ１の内部に配設されるナット部材15と、スライド溝11ａを通して連結ブラケット部材８とナット部材15を上方から締め付けるボルト14と、を備えていて、連結ブラケット部材８は、両端とも、第１ストリンガ１の端部１Ａに当接し、固着可能である。
連結ブラケット部材８は、第１ストリンガ１の長手方向の合わせ面９，９にて合体自在な一対の分割体８Ａ，８Ｂから成り、かつ、一対の分割体８Ａ，８Ｂは、合わせ面９，９に、円弧状凹溝16Ａ，16Ｂが形成され、合体時に、円弧状凹溝16Ａ，16Ｂは上記孔部16を形成する。
【００１６】
また、分割体８Ａ，８Ｂは、側面に、合体用孔部24，24が形成され、合わせ面９，９に形成された合体用雌ねじ孔25，25に、上記合体用孔部24を通した合体用ボルト23，23が螺合し、分割体８Ａ，８Ｂは、強固に合体状する。
さらに、両分割体８Ａ，８Ｂは、合わせ面９，９に、凸部26，26と、合体時に凸部26，26が嵌合し分割体８Ａ，８Ｂのずれを防止する凹部27，27とが、形成されている。
【００１７】
さらに、分割体８Ａ，８Ｂの円弧状凹溝16Ａ，16Ｂを形成する壁部には、落ち止めビス31が螺合する落ち止め雌ねじ孔30が形成され、分割体８Ａ，８Ｂの合体時に、上記ビス31を落ち止め雌ねじ孔30に螺合して、支持脚５の中間高さ部位５ａを、上記雌ねじ孔30，30の先端部で両側から挟着する。
また、連結ブラケット部材８は、ナット部材15に螺合するボルト14を通す孔部13，13を有する。分割体８Ａ，８Ｂは、合わせ面９，９に、合体時に２つの孔部13，13を形成する円弧状凹溝13Ａ…が、２つずつ形成されている。
【００１８】
次に、図２，図３，図６，図７に示したように、第２ストリンガ２は、上壁12中央に長手方向のスライド溝12ａが開口されたＣ型鋼から成る。
固定保持手段４は、第２ストリンガ２の上壁12に上方から当接するように配設される座金体17と、第２ストリンガ２の内部に移動自在に配設されると共に縦ねじ杆３が螺合する雌ねじ孔35ａを有するナット部材35と、を備える。
【００１９】
座金体17は、縦ねじ杆３の下部３ａが挿入される縦ねじ杆用孔部17ａが形成され、かつ、その両側は、第２ストリンガ２の側壁外部に両側から当接する下向きのガイド片部17ｂ，17ｂが、（塑性加工により）形成されている。
そして、第２ストリンガ２の上壁12と座金体17とを、縦ねじ杆３に螺合した押えナット46と、ナット部材35とで挟着する。
【００２０】
また、第２ストリンガ２の両端の下壁22は、第２ストリンガ２を第１ストリンガ１にスライド固定自在に取り付けるための固定用突片部18，18が、長手方向に付設されている。  この突片部18，18は、一端側に付設される第１突片部18Ａと、他端側に付設される第２突片部18Ｂと、から成り、夫々孔部28，28を有する。
突片部18Ａ，18Ｂは、第１ストリンガ１の上壁11に上方から当接し、第１ストリンガ１の内部には、ナット部材45が移動自在に配設されている。
そして、ボルト44が、突片部18Ａ，18Ｂの孔部28，28及び第１ストリンガ１のスライド溝11ａを介して、ナット部材45に螺合し、第１ストリンガ１の上壁11が、突片部18Ａ（18Ｂ）と、ナット部材45とで、スライド固定自在に挟着されるように構成される。
【００２１】
ここで、第１突片部18Ａは、第２突片部18Ｂよりも高く第２突片部18Ｂの上に積層可能となるように形成されていると共に、両側に、第２突片部18Ｂと略同厚さの支え部19，19が付設されている。
２つの第２ストリンガ２，２を同一の第１ストリンガ１上で連結状とする場合には、第２突片部18Ｂが、第１突片部18Ａの支え部19，19の間に於て、第１突片部18Ａの下に積層状とされ、第２ストリンガ２，２は、相互に同一高さ及び水平状に配設される。
【００２２】
なお、図示省略するが、１つの第２ストリンガ２を一対の第１ストリンガ１上に配設する（即ち、第２ストリンガ２を連結状とせずに配設する）場合、第１突片部18Ａの支え部19，19が第１ストリンガ１の上壁11上に当接し、他方、第２突片部18Ｂの下面が別の第１ストリンガ１の上壁11上に当接するように配設され、この第２ストリンガ２は水平状に保持される。
【００２３】
次に、設置手順を説明する。図３，図８，図９に於て、電算機10を設置する予定場所のフロアパネル20を取り外して、上記電算機10を固定するための任意の縦ねじ杆３の配設予定位置を（平面視に於て）囲む４つの支持脚５…に、連結固定手段６…を取り付ける。
そして、このように全ての縦ねじ杆３…に対応して取り付けた連結固定手段６…の間に、第１ストリンガ１…を配設して両端を固着する。
そして、第２ストリンガ２…を、上記第１ストリンガ１…間に懸架状に取り付けると共に、第２ストリンガ２…には、必要な、縦ねじ杆３…に該当する数量の固定保持手段４…を配設しておく。
【００２４】
そして、第２ストリンガ２…と、（第２ストリンガ２…にスライド固定自在に取り付けた）固定保持手段４…とを、スライドさせ、１台の電算機10のラック７に対して、隅部に４箇所の固定保持手段４…を対応させるように配設して、固定する。そして、縦ねじ杆３…の下部３ａを、夫々の固定保持手段４…に取り付けて、フロアパネル20を支持脚５…の上部に設置し、縦ねじ杆３…の上部３ｂを、フロアパネル20の孔部や間隙部を通して上方に突出状態としておく。
そして、フロアパネル20の上に電算機10を設置して、その（図示省略の）前方扉を開け、ラック７の下板部７ａの孔部47を通り上方に突出した縦ねじ杆３の上部３ｂを、ダブルの揺れ止め用ナット29，29にて螺着する。
【００２５】
上記の構成により、図８に示したように、地震等が発生すると、電算機10は、一方の角部Ｌを中心として、重心Ｇが矢印33のように揺動しラック７の下板部７ａを上方向へ揺動させる力Ｆが働く。このとき、ラック７の下板部７ａは、ダブルナット29，29から、上記力Ｆと同じ大きさの反力Ｆ′を、下方向に受ける。
また、支持脚５には、上記力Ｆにより、縦ねじ杆３及び第１，第２ストリンガ１，２を介して上方向の力が働くが、支持脚５は、（強力な）接着剤又はアンカーボルトで（固着）保持され、支持脚５がコンクリート床面Ｓから離脱する虞れはない。
【００２６】
以上のことから、図１〜図４，図８，図９に示したように、フロアパネル20上に設置する電算機10のラック７の下板部７ａが、縦ねじ杆３…により、フロアパネル20から離脱しないように固定されるので、ラック７の大きさ・形状に対応する鋼製架台を設置しなくても、地震等の揺れに対して、電算機10の揺動・転倒を防止することができ、さらに、ラック７を固定するための縦ねじ杆３…は、容易かつ短時間で、ラック７の大きさ・形状に合わせて所望の位置に配設し施工することができ、工事を簡略化できる。
【００２７】
また、具体的には、連結固定手段６の連結ブラケット部材８は、分割体８Ａ，８Ｂから成り、支持脚５を両側から挟着して固着することができるので、支持脚５を活用できて好都合であり、コンクリート床面Ｓにアンカーボルトを打つ等の手間を掛けて固定する必要がなく、作業が簡単である。
また、凸部26と凹部27とを嵌合させることにより、合体した分割体８Ａ，８Ｂは、ずれることなく連結ブラケット部材８を形成することができる。
【００２８】
また、連結ブラケット部材８を、既設の支持脚にも固着することができるので、既設の電算室等のフリーアクセスフロアに電算機を新たに設置したり、レイアウトを変更する場合にも適用でき、従来のように、新たな鋼製架台に合わせてフロアパネルや支持脚を加工・撤去する必要がなく、手間・コストを抑えることができる。
さらに、連結ブラケット部材８を支持脚５から容易に取り外すこともできるので、電算機10の機種や配置のレイアウトを変更する場合でも、容易に対応できる。
【００２９】
次に図２，図３，図６，図７に示したように、第１ストリンガ１は、上壁11にスライド溝11ａを開口したＣ型鋼から成るので、ナット部材15を必要な数量配設すれば、第２ストリンガ２を所望の位置に容易に配設し、固定することができる。また、第２ストリンガ２は、上壁12にスライド溝12ａを開口したＣ型鋼から成り、ナット部材15を必要な数量配設すれば、固定保持手段４を、容易に取り付け、縦ねじ杆３…を所望の位置に容易にスライド固定することができるので、簡素な構成にも係わらず、作業の迅速化を図ることができる。
【００３０】
また、第２ストリンガ２の一端側に付設される第１突片部18Ａと、他端側に付設される第２突片部18Ｂとは、積層可能として高さが異なるように形成されているので、同一の第１ストリンガ１の上に於て２つの第２ストリンガ２，２を連結する場合、相互に同一高さ及び水平状に配設することができる。
【００３１】
また、以上のことから、本発明の床面固定構造は、ボルト・ナット結合のみの連結から成るので、施工を短期間に行え、部材がすべて規格化されているので溶接作業を行う等の手間を掛ける必要がない。しかも、稼働中の電算室やオフィスに於ても作業を行うことができ、フロアパネル20の下方には、配線等の邪魔にならず作業を十分行えるだけのスペースを確保できる。
【図面の簡単な説明】
【００３２】
【図１】本発明の電算機の床面固定構造体の実施の一形態を示す斜視図である。
【図２】要部平面図である。
【図３】図２のＡ−Ａ断面矢視図である。
【図４】図３のＢ−Ｂ断面矢視図である。
【図５】連結固定手段の分解平面図である。
【図６】第２ストリンガを示し、（ａ）は平面図、及び（ｂ）は（ａ）のＤ−Ｄ断面矢視図である。
【図７】図２のＣ−Ｃ断面矢視図である。
【図８】説明用側面図である。
【図９】説明用平面図である。
【符号の説明】
【００３３】
１    第１ストリンガ
１Ａ  端部
２    第２ストリンガ
３    縦ねじ杆
３ａ  下部
３ｂ  上部
４    固定保持手段
５    支持脚
５ａ  中間高さ部位
６    連結固定手段
７    ラック
８    連結ブラケット部材
８Ａ，８Ｂ  分割体
９    合わせ面
11    上壁
11ａ  スライド溝
12    上壁
12ａ  スライド溝
14    ボルト
15    ナット部材
16    固定孔部
16Ａ，16Ｂ  円弧状凹溝
17    座金体
17ａ  孔部
18    突片部
18Ａ  第１突片部
18Ｂ  第２突片部
20    フロアパネル
22    下壁
28    孔部
35    ナット部材
35ａ  雌ねじ孔
44    ボルト
45    ナット部材
Ｓ    コンクリート床面
【図１】
2005042411.tif 000003
【図２】
2005042411.tif 000004
【図３】
2005042411.tif 000005
【図４】
2005042411.tif 000006
【図５】
2005042411.tif 000007
【図６】
2005042411.tif 000008
【図７】
2005042411.tif 000009
【図８】
2005042411.tif 000010
【図９】
2005042411.tif 000011